(57)【特許請求の範囲】
【請求項１】
基材と前記基材に貼り付けられた剥離部材とを含む貼付部材を切り取る切断手段と、
前記切断手段が前記貼付部材を印刷データに応じた断片長で切り取るように制御するとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断するように制御する制御手段と、
前記印刷データに基づいて前記基材に印刷する印刷手段と、
を備え、
前記制御手段は、前記断片長が長いほど、前記剥離部材を切断する前記切断位置として、多くの切断数及び前記切断位置を決定する、
ことを特徴とする印刷装置。
【請求項２】
前記印刷手段が印刷する印刷位置及び前記切断手段が切断する前記切断位置に前記貼付部材を搬送する搬送手段をさらに備え、
前記切断手段は、前記基材と前記剥離部材との両方を、前記貼付部材の始端から前記断片長だけ離れた終端で切断する、
ことを特徴とする請求項１に記載の印刷装置。
【請求項３】
前記制御手段は、
前記断片長が第１の境界長よりも小さい場合に前記剥離部材を切断しないことを決定し、
前記断片長が前記第１の境界長以上で且つ第２の境界長よりも小さい場合に、前記始端から第１の長さだけ離れた第１の位置で前記剥離部材を切断することを決定し、
前記断片長が前記第２の境界長以上で且つ第３の境界長よりも小さい場合に、前記第１の位置と、前記終端から第２の長さだけ離れた第２の位置と、で前記剥離部材を切断することを決定し、
前記断片長が前記第３の境界長以上の場合に、前記第１の位置と、前記第２の位置と、前記第１の位置から前記終端へ向かって第３の長さだけ離れた第３の位置と、で前記剥離部材を切断することを決定する、
ことを特徴とする請求項２に記載の印刷装置。
【請求項４】
基材と前記基材に貼り付けられた剥離部材とを含む貼付部材を切り取る切断手段と、
前記切断手段が前記貼付部材を印刷データに応じた断片長で切り取るように制御するとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断するように制御する制御手段と、
前記印刷データに基づいて前記基材に印刷する印刷手段と、
前記印刷手段が印刷する印刷位置及び前記切断手段が切断する前記切断位置に前記貼付部材を搬送する搬送手段と、
を備え、
前記切断手段は、前記基材と前記剥離部材との両方を、前記貼付部材の始端から前記断片長だけ離れた終端で切断し、
前記制御手段は、
前記断片長が第１の境界長よりも小さい場合に前記剥離部材を切断しないことを決定し、
前記断片長が前記第１の境界長以上で且つ第２の境界長よりも小さい場合に、前記始端から第１の長さだけ離れた第１の位置で前記剥離部材を切断することを決定し、
前記断片長が前記第２の境界長以上で且つ第３の境界長よりも小さい場合に、前記第１の位置と、前記終端から第２の長さだけ離れた第２の位置と、で前記剥離部材を切断することを決定し、
前記断片長が前記第３の境界長以上の場合に、前記第１の位置と、前記第２の位置と、前記第１の位置から前記終端へ向かって第３の長さだけ離れた第３の位置と、で前記剥離部材を切断することを決定する、
ことを特徴とする印刷装置。
【請求項５】
前記第１の境界長は、前記第１の長さと前記第２の長さとの和であり、
前記第２の境界長は、前記第１の境界長と前記第３の長さとの和であり、
前記第３の境界長は、前記第２の境界長と第４の長さとの和である、
ことを特徴とする請求項３又は４に記載の印刷装置。
【請求項６】
前記第１の長さ、前記第２の長さ、前記第３の長さ及び前記第４の長さはユーザの入力によって定められる、
ことを特徴とする請求項５に記載の印刷装置。
【請求項７】
基材と前記基材に貼り付けられた剥離部材とを含む貼付部材を印刷データに応じた断片長で切り取るように切断手段を制御するとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断し、前記断片長が長いほど、前記剥離部材を切断する前記切断位置として、多くの切断数及び前記切断位置を決定するように制御する、
ことを特徴とする切断方法。
【請求項８】
コンピュータに、
基材と前記基材に貼り付けられた剥離部材とを含む貼付部材を印刷データに応じた断片長で切り取るように切断手段を制御させるとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断し、前記断片長が長いほど、前記剥離部材を切断する前記切断位置として、多くの切断数及び前記切断位置を決定するように制御させる、
ことを特徴とするプログラム。
【発明の詳細な説明】
【技術分野】
【０００１】
本発明は、印刷装置、切断方法及びプログラムに関する。
【背景技術】
【０００２】
基材と剥離部材とを含むテープ状の貼付部材に絵や文字等のパターンを印刷する印刷装置において、印刷された基材を剥離部材からはがしやすくすると同時に、複数のテープを一続きに出力するために、基材のみをハーフカットすることが一般に行われている。一方、剥離部材をはがしやすくするために、剥離部材のみをハーフカットすることが行われることもある。
【０００３】
剥離部材のみをハーフカットすることが可能な印刷装置の一例として、特許文献１には、ハーフカット機構を備えるテープ印刷装置が開示されている。具体的には、特許文献１に記載のテープ印刷装置は、テープ全体を切断するフルカット機構に加えて剥離紙のみを切断するハーフカット機構を備え、印刷されたテープの剥離紙の１箇所を波形に切断する。
【先行技術文献】
【特許文献】
【０００４】
【特許文献１】特開２０１２−９６３６６号公報
【発明の概要】
【発明が解決しようとする課題】
【０００５】
ところで、剥離部材の両端を残して中央のみをはがすことができるように切断すると、ユーザがテープを貼り付ける際に剥離部材が残されたテープの両端部分を持つことが可能になり、粘着力の低下を防ぐことができる。また、端部の一部分のみをはがすことができるように切断すると、ユーザがテープを貼り付ける際にはがした部分だけを貼り付けることが可能になり、テープの位置決めが容易になる。これらの切断の適切な数及び位置は、テープの全長によって異なる。
【０００６】
このように、テープの全長に応じた適切な数及び位置で剥離部材を切断すれば、貼り付けの際に粘着力が落ちず、位置決めが容易なテープを作成することができる。このとき、テープの全長によらずに一定の位置又は数で剥離部材を切断すると、剥離部材に著しく細い領域が生じたりして、かえって扱いにくくなってしまうことがある。従って、テープの全長に応じて、剥離部材を切断する数及び位置を決める必要がある。一方、特許文献１に記載の印刷装置では、適切な数及び位置で剥離部材を切断することはできない。
【０００７】
本発明はかかる課題に鑑みてなされたものであって、容易に貼付可能な貼付部材を作成する印刷装置、切断方法及びプログラムを提供することを目的とする。
【課題を解決するための手段】
【０００８】
上記目的を達成するため、本発明に係る印刷装置の一様態は、
基材と前記基材に貼り付けられた剥離部材とを含む貼付部材を切り取る切断手段と、
前記切断手段が前記貼付部材を印刷データに応じた断片長で切り取るように制御するとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断するように制御する制御手段と、
前記印刷データに基づいて前記基材に印刷する印刷手段と、
を備え、
前記制御手段は、前記断片長が長いほど、前記剥離部材を切断する前記切断位置として、多くの切断数及び前記切断位置を決定する、
ことを特徴とする。
【００１０】
上記目的を達成するため、本発明に係る切断方法の一様態は、
基材と前記基材に貼り付けられた剥離部材とを含む貼付部材を印刷データに応じた断片長で切り取るように切断手段を制御するとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断し、前記断片長が長いほど、前記剥離部材を切断する前記切断位置として、多くの切断数及び前記切断位置を決定するように制御する、
ことを特徴とする。
【００１１】
上記目的を達成するため、本発明に係るプログラムの一様態は、
コンピュータに、
基材と前記基材に貼り付けられた剥離部材とを含む貼付部材を印刷データに応じた断片長で切り取るように切断手段を制御させるとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断し、前記断片長が長いほど、前記剥離部材を切断する前記切断位置として、多くの切断数及び前記切断位置を決定するように制御させる、
ことを特徴とする。
【発明の効果】
【００１２】
本発明によれば、容易に貼付可能な貼付部材を作成する印刷装置、切断方法及びプログラムを提供できる。
【図面の簡単な説明】
【００１３】
【図１】実施形態に係る印刷装置１の平面図である。
【図２】（ａ）テープカセット２１の斜視図であり、（ｂ）実施形態に係る印刷装置１の内部構造の一部の斜視図である。
【図３】実施形態に係る印刷装置１の物理構成を示すブロック図である。
【図４】実施形態に係る印刷装置１の機能構成を示すブロック図である。
【図５】テープ片の斜視図である。
【図６】切断条件テーブルを表す図である。
【図７】印刷切断処理を示すフローチャートである。
【図８】ユーザがテープ片を貼り付ける例を示す斜視図である。
【図９】ユーザがテープ片を貼り付ける例を示す斜視図である。
【発明を実施するための形態】
【００１４】
以下、本発明の実施形態について図面を参照して説明する。
【００１５】
本発明の実施形態に係る印刷装置１について、図１を参照して説明する。図１は、印刷装置１の平面図である。印刷装置１は、表面が印刷面であって裏面が粘着剤の塗布された粘着面である基材と、粘着面に貼付される剥離部材と、が積層されて形成されたテープ部材の貼付部材に、絵や文字等のパターンを含む印刷パターンを印刷する装置である。
【００１６】
図１に示すように、印刷装置１は、筐体２と、筐体２の上面の入力部３及び表示部４と、テープ収納部６を塞ぐ開閉蓋５と、を備える。また、図示しないが、筐体２は、パーソナルコンピュータ等の外部機器と接続するための入力端子、電源コードが接続される電源端子、メモリカード等の記憶媒体が挿入される挿入口等を備える。
【００１７】
入力部３は、文字データを入力する文字入力キーと、印刷開始を指示する印刷キーと、表示部４の表示画面上のカーソルを移動操作するカーソルキーと、印刷モードやハーフカット等の設定を含む各種設定処理を行う種々の制御キーと、を備える。
【００１８】
表示部４は、印刷装置１におけるユーザに対して情報を表示する液晶表示パネルである。表示部４は、入力されたデータに関する画像、各種の設定のための選択メニュー、各種の処理に関するメッセージ等を表示する。
【００１９】
次に、印刷装置１に使用するテープカセット２１の構成について図２（ａ）を参照して説明する。図２（ａ）は、テープカセット２１の斜視図である。
【００２０】
図２（ａ）に示すように、テープカセット２１は、カセットケース２２を備える。カセットケース２２の内部には、テープ３１が巻装されたテープコア２３と、未使用のインクリボン３５が巻装されたリボン供給コア２４と、使用済みのインクリボン３５を巻取るリボン巻取コア２５と、が収納されている。また、テープカセット２１のカセットケース２２には、テープ収納部６内にテープカセット２１を装填した場合にサーマルヘッド１１が位置するヘッド配置部２７と、テープ収納部６のカセット受部１５と係合し、このカセット受部１５によって支持される被係合部２９とが形成されている。カセットケース２２の被係合部２９には、図示しないがテープカセット２１の種類に応じた所定の凹凸が形成されている。
【００２１】
テープカセット２１に内蔵されるテープ３１は、貼付部材であり記録媒体であって、基材３２と剥離部材としての剥離紙３３とを含む。基材３２は、その表面に印刷が行われるようになっており、裏面には粘着剤３４が塗布されている。剥離紙３３は、基材３２の裏面に粘着剤３４の粘着力によって貼付されており、ユーザがテープ３１を貼り付ける際にはがされる。
【００２２】
次に、印刷装置１のテープカセット２１を収納する部分の内部構造について、図２（ｂ）を参照して説明する。図２（ｂ）は、印刷装置１の内部構造の一部の斜視図である。
【００２３】
図２（ｂ）に示すように、印刷装置１の開閉蓋５によってふさがれている部分には、テープ３１及びインクリボン３５を収容したテープカセット２１を収納（装填）するためのテープ収納部６が形成されている。テープ収納部６内には、印刷手段としてのテープ印刷機構４５と、テープカセット２１を所定の位置に支持するためのカセット受部１５と、が形成されている。カセット受部１５には、テープカセット２１が装填された場合にカセットケース２２の被係合部２９に形成された凹凸を判別する所定のテープ種類検出スイッチ１６が形成されている。
【００２４】
テープ印刷機構４５は、縦方向に配列された印刷素子と、インクリボン３５を加熱するサーマルヘッド１１と、サーマルヘッド１１との間にテープ３１及びインクリボン３５を挟み込んでこれらを搬送するプラテンローラ１２と、印刷に使用したインクリボン３５をテープカセット２１内に巻取るリボン巻取軸１３と、を備える。
【００２５】
テープ収納部６の一辺に、筐体２の外に通じるテープ繰出部７が形成されている。テープ繰出部７には、テープ３１の基材３２及び剥離紙３３を幅方向に切断する切断手段としてのフルカット機構１７と、テープ３１の剥離紙３３のみを切断し、基材３２を切断しない切断手段としてのハーフカット機構１８と、が組み込まれている。
【００２６】
フルカット機構１７は、テープ３１を所定の長さ（断片長Ｌ）で切断する。テープ３１を切断する長さは、ユーザが入力部３を介して直接入力しても良いし、後述の制御部４０が、テープ３１に印刷される文字等から算出しても良い。
【００２７】
ハーフカット機構１８は、剥離紙３３を１箇所又は複数箇所切断する。剥離紙３３を切断する切断数及び切断位置については後述する。
【００２８】
次に、印刷装置１の物理構成について、図３を参照して説明する。図３は、印刷装置１の物理構成を示すブロック図である。
【００２９】
図３に示すように、印刷装置１は、制御部４０と、入力部３と、表示部４と、ＲＯＭ（Read Only Memory）４１と、ＲＡＭ（Random Access Memory）４２と、電源装置５０と、サーマルヘッド制御装置５１と、モータ制御装置５２と、カッタ制御装置５３と、を備える。
【００３０】
制御部４０は、制御手段とされるものであって、例えばＣＰＵ（Central Processing Unit）であって、入力部３からのキー操作信号に応じて又は自動で、ＲＯＭ４１に予め記憶されているシステムプログラム、メモリカードに記憶された制御プログラム、外部機器から読み込まれた制御プログラム等を起動させ、ＲＡＭ４２をワークメモリとして回路各部の動作を制御する。
【００３１】
ＲＯＭ４１は、記憶手段とされるものであって、入力部３から入力された文字を印刷するためのプログラム、文字、記号、絵文字等のデータやサイズ情報、印刷フォント等を記憶する。ＲＯＭ４１は、制御部４０で読取り可能なプログラムが記憶された記憶媒体としても機能する。
【００３２】
ＲＡＭ４２は、記憶手段とされるものであって、キー入力された文字、文字のサイズや間隔等の印刷情報を記憶する入力データメモリ、入力された印刷情報が展開された印刷データを記憶する印刷データメモリ、断片長Ｌの値を記憶する断片長メモリ、ハーフカットの切断数及び切断位置に関係する長さのデータを記憶する長さデータメモリ、表示部４に表示されるパターンデータを記憶する表示データメモリ等の各領域が確保され、印刷処理等に必要なデータを一時的に記憶するレジスタやカウンタ等が設けられている。
【００３３】
サーマルヘッド制御装置５１は、印刷手段を駆動する回路である。サーマルヘッド制御装置５１は、印刷ヘッドであるサーマルヘッド１１を印刷データに基づいて制御し、貼付部材であるテープ３１に印刷を実行する。
【００３４】
モータ制御装置５２は、搬送手段を駆動する回路である。モータ制御装置５２は、プラテンローラ１２やリボン巻取軸１３を回転させるステップモータを制御し、定められた速度で長手方向にテープ３１を搬送する。
【００３５】
カッタ制御装置５３は、切断手段を駆動する回路である。カッタ制御装置５３は、フルカット機構１７とハーフカット機構１８とを制御し、テープ３１を定められた切断数及び切断位置でハーフカットまたはフルカットする。
【００３６】
次に、印刷装置１の機能構成について、図４を参照して説明する。図４は、印刷装置１の機能構成を示すブロック図である。
【００３７】
図４に示すように、印刷装置１は、印刷データ取得部６１と、断片長取得部６２と、決定部６３と、印刷部６４と、切断部６５と、搬送部６６と、を備える。
【００３８】
印刷データ取得部６１は、基材３２上に印刷する印刷データを取得する印刷データ取得手段として機能する。具体的には、制御部４０が、ＲＡＭ４２の印刷データを記憶する印刷データメモリから印刷データを取得することで、印刷データ取得部６１として機能する。
【００３９】
断片長取得部６２は、テープ３１から切り取られる断片の長さである断片長Ｌを取得する断片長取得手段として機能する。具体的には、制御部４０が、断片長Ｌの値を記憶するＲＡＭ４２の断片長メモリから断片長Ｌを取得することで、断片長取得部６２として機能する。
【００４０】
決定部６３は、断片長Ｌに基づいて、テープ３１のうちのテープ片３１Ａが切り取られる領域における、剥離紙３３を切断する切断数及び切断位置を決定する決定手段として機能する。具体的には、制御部４０が、取得した断片長Ｌに基づいて、剥離紙３３をハーフカットする切断数及び切断位置を決定することで、決定部６３として機能する。
【００４１】
決定部６３が決定するハーフカットの切断数及び切断位置について、図５を参照して具体的に説明する。図５は、決定部６３によって決定された切断数及び切断位置に従ってハーフカット及びフルカットが行われたテープ３１の断片であるテープ片３１Ａの斜視図である。テープ片３１Ａは図５の右側から左側へ搬送される。
【００４２】
図５に示すように、テープ片３１Ａは、全長が断片長Ｌとなるようにフルカットされる。テープ片３１Ａの剥離紙３３は、長さＡ１、Ｂ、Ｃ、Ａ２をもって分割されるために、位置ア、イ、ウでハーフカットされるように、決定部６３によって決定される。言い換えると、テープ片３１Ａの始端から位置アまでの長さがＡ１、位置アから位置イまでの長さがＢ、位置イから位置ウまでの長さがＣ、位置ウからテープ片３１Ａの終端までの長さがＡ２となるように、決定部６３によって決定される。
【００４３】
長さＡ１、Ａ２、Ｂの値は、後述のようにユーザの入力によって決まる。長さＣは余りであり、値は式（Ｃ＝Ｌ−Ａ１−Ａ２−Ｂ）によって決まる。長さＣは、後述する長さＤよりも大きい。
【００４４】
次に、決定部６３がハーフカットを行う切断数及び切断位置を決定する方法について、図６を参照して具体的に説明する。図６は、決定部６３がハーフカットを行う切断数及び切断位置を決定するための切断条件テーブルを表す図である。
【００４５】
図６に示すように、切断条件テーブルの１列目は各条件の名前を表し、２列目は断片長Ｌの範囲を表し、３列目は断片長Ｌの範囲に応じたハーフカットの切断位置を表す。印刷装置１は、断片長Ｌの値に応じて、断片長Ｌが長いほどハーフカットを行う切断数が多くなるように、ハーフカットを行う切断数を決定する。
【００４６】
条件１は、Ｌの範囲が（Ｌ＜Ａ１＋Ａ２）である場合を表す。この場合、決定部６３はハーフカットを行わないことを決定する。（Ａ１＋Ａ２＝Ｖ１）はＬの条件分けのための長さであり、第１の境界長という。
【００４７】
条件２は、Ｌの範囲が（Ａ１＋Ａ２≦Ｌ＜Ａ１＋Ｂ＋Ａ２）である場合を表す。この場合、決定部６３は、位置アにおいて１回のハーフカットを行うことを決定する。（Ａ１＋Ｂ＋Ａ２＝Ｖ２）はＬの条件分けのための長さであり、第２の境界長という。
【００４８】
条件３は、Ｌの範囲が（Ａ１＋Ｂ＋Ａ２≦Ｌ＜Ａ１＋Ｂ＋Ａ２＋Ｄ）である場合を表す。ここで、Ｄは予め設定された長さである。この場合、決定部６３は、位置アと位置ウとにおいて合計２回のハーフカットを行うことを決定する。（Ａ１＋Ｂ＋Ａ２＋Ｄ＝Ｖ３）はＬの条件分けのための長さであり、第３の境界長という。
【００４９】
条件４は、Ｌの範囲が（Ａ１＋Ｂ＋Ａ２＋Ｄ≦Ｌ）である場合を表す。この場合、決定部６３は、位置アと位置イと位置ウとにおいて合計３回のハーフカットを行うことを決定する。
【００５０】
切断条件テーブルはＲＯＭ４１に記憶されており、後述する印刷切断処理において、制御部４０によって読み出される。
【００５１】
テープ片３１Ａの断片長Ｌの値は、テープ３１Ａに印刷されるパターンによって決まっても良いし、ユーザの入力によって決まっても良い。長さＡ１、Ａ２の値は貼付位置決めのためのテープ片３１Ａの一部の固定及びユーザが指でつまむために十分な長さであることが望ましく、例えばそれぞれ１０ｍｍである。Ｂの値は貼付位置決めのためのテープ片３１Ａの一部の固定に十分な長さであることが望ましく、例えば５０ｍｍである。長さＤの値は長さＣが小さくなりすぎない長さであることが望ましく、例えば１０ｍｍである。長さＡ１、Ａ２、Ｂ、Ｄの値はそれぞれユーザの入力によって決まる。これらの情報は、長さデータとしてＲＡＭ４２に記憶される。
【００５２】
長さＡ１、Ａ２、Ｂ、Ｄを、それぞれ第１の長さ、第２の長さ、第３の長さ、第４の長さともいう。また、位置ア、イ、ウを、それぞれ第１の位置、第３の位置、第２の位置ともいう。
【００５３】
図４に戻り、印刷部６４は、印刷データを基材３２に印刷する印刷手段として機能する。具体的には、制御部４０が、サーマルヘッド制御装置５１を制御し、サーマルヘッド制御装置５１を介して印刷ヘッドであるサーマルヘッド１１を印刷データに基づいて駆動し、貼付部材であるテープ３１の基材に印刷を実行することで、サーマルヘッド制御装置５１及びサーマルヘッド１１と協働して印刷部６４として機能する。
【００５４】
切断部６５は、剥離紙３３を、決定部６３が決定した切断数の切断位置で切断する切断手段として機能する。具体的には、制御部４０が、カッタ制御装置５３を制御し、カッタ制御装置５３を介してハーフカット機構１８を駆動し、テープ３１の剥離紙３３を決定部６３が決定した切断数及び切断位置でハーフカットすることで、カッタ制御装置５３及びハーフカット機構１８と協働して切断部６５として機能する。また、切断部６５は、基材３２と剥離紙３３との両方を、テープ３１の始端から断片長Ｌだけ離れた終端で切断することで、切断手段として機能する。具体的には、制御部４０が、カッタ制御装置５３を制御し、カッタ制御装置５３を介してフルカット機構１７を駆動し、テープ３１をフルカットすることで、カッタ制御装置５３及びフルカット機構１７と協働して切断部６５として機能する。
【００５５】
搬送部６６は、印刷部６４が印刷する印刷位置及び切断部６５が切断する切断位置にテープ３１を搬送する搬送手段として機能する。具体的には、制御部４０が、モータ制御装置５２を制御し、モータ制御装置５２を介してプラテンローラ１２やリボン巻取軸１３を回転させるステップモータを駆動し、定められた速度で長手方向にテープ３１を搬送することで、モータ制御装置５２、プラテンローラ１２及びリボン巻き取り軸１３と協働して搬送部６６として機能する。
【００５６】
次に、印刷装置１が実行する印刷切断処理について、図７を参照して説明する。図７は、印刷切断処理を示すフローチャートである。
【００５７】
図７に示すように、まず、印刷データ取得部６１が、印刷データを取得する（ステップＳ１０）。具体的には、制御部４０が、実際に印刷されるパターンを含んだ印刷データを、ＲＡＭ４２から取得する。印刷データは、ユーザが印刷しようとする絵や文字、それらの大きさや色や間隔等の情報が含まれる印刷情報から作成されたものである。
【００５８】
次に、断片長取得部６２が、断片長を取得する（ステップＳ２０）。具体的には、制御部４０が、フルカット位置を決める断片長Ｌの値をＲＡＭ４２から取得する。
【００５９】
次に、決定部６３が、切断数及び切断位置を決定する（ステップＳ３０）。具体的には、制御部４０が、取得した断片長Ｌの値と、ＲＯＭ４１に記憶された切断条件テーブルとから、ハーフカットを行う切断数及び切断位置を決定する。
【００６０】
次に、印刷部６４と切断部６５とが、印刷及び切断を行う（ステップＳ４０）。具体的には、制御部４０が、サーマルヘッド制御装置５１と、モータ制御装置５２と、を制御し、プラテンローラ１２によってテープ３１を搬送しつつ、サーマルヘッド１１によって印刷を行う。また、カッタ制御装置５３を制御し、ハーフカット機構１８によって、ステップＳ３０で決められた切断数及び切断位置のハーフカットを行う。最後に、フルカット機構１７によって、テープ片３１Ａの全長が断片長Ｌになるようにフルカットを行う。
【００６１】
以上のように、本実施形態に係る印刷装置１によれば、テープ片３１Ａの全長に応じて、剥離紙３３を適切な切断数及び切断位置で切断することができる。テープ片３１Ａの全長に応じて剥離紙３３を切断する切断数及び切断位置を決定するので、全長が短い場合に剥離部材が著しく細くなり、かえってはがしにくくなったりすることがなく、扱いやすいテープ片を作成することができる。
【００６２】
次に、印刷装置１によって印刷及び切断されたテープ片３１Ａをユーザが貼付対象３６に貼り付ける例について、図８を参照して説明する。
【００６３】
図８は、ユーザがテープ片３１Ａを貼り付ける例を示す斜視図である。図８（ａ）は、ハーフカットされたテープ片３１Ａを示す図である。
【００６４】
まず、図８（ｂ）に示すように、ユーザは、位置アよりも左側の剥離紙３３をはがし、貼付対象３６に貼り付ける。この際、ユーザは、剥離紙３３が残っている位置アより右側を持つことで、粘着力を落とさずにテープ片３１Ａを貼り付ける位置を決めることができる。
【００６５】
所望の位置にテープ片３１Ａを貼り付けることができたら、図８（ｃ）に示すように、ユーザは、位置アと位置ウとに挟まれた部分の剥離紙３３をはがし、貼付対象３６に貼り付ける。この際、ユーザは、剥離紙３３が残っている位置ウよりも右側を持つことで、粘着力を落とさずにテープ片３１Ａの大部分を貼り付けることができる。
【００６６】
次に、図８（ｄ）に示すように、ユーザは、位置ウよりも右側の剥離紙３３をはがし、貼付対象３６に貼り付ける。このようにして、ユーザは、粘着力を落とさず、且つ容易に、位置決めを行った上でテープ片３１Ａを貼付対象３６に貼り付けることができる。
【００６７】
図９は、ユーザがテープ片３１Ａを貼り付ける別の例を示す斜視図である。図９（ａ）は、ハーフカットされたテープ片３１Ａを示す図である。
【００６８】
まず、図９（ｂ）に示すように、ユーザは、位置アと位置イとに挟まれた部分の剥離紙３３をはがし、貼付対象３６に貼り付ける。この際、ユーザは、剥離紙３３が残っている位置アよりも左側と位置イよりも右側とを持つことで、粘着力を落とさずにテープ片３１Ａを貼り付ける位置を決めることができる。
【００６９】
所望の位置にテープ片３１Ａを貼り付けることができたら、図９（ｃ）に示すように、ユーザは、位置イと位置ウとに挟まれた部分の剥離紙３３をはがし、貼付対象３６に貼り付ける。この際、ユーザは、剥離紙３３が残っている位置ウよりも右側を持つことで、粘着力を落とさずにテープ片３１Ａの大部分を貼り付けることができる。
【００７０】
次に、図９（ｄ）に示すように、ユーザは、位置アよりも左側及び位置ウよりも右側の剥離紙３３をはがし、貼付対象３６に貼り付ける。このようにして、ユーザは、粘着力を落とさず、容易に位置決めを行った上でテープ片３１Ａを貼付対象３６に貼り付けることができる。
【００７１】
以上のように、本実施形態に係る印刷装置１によって作成されたテープ片は、ユーザによって粘着力を落とさず、容易に位置決めを行って貼付することができるものである。また、テープ片は、剥離部材の端部からだけでなく中央の切断部から剥離部材をはがすことができ、剥離部材の剥離が容易である。
【００７２】
（変形例）
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【００７３】
例えば、長さＡ１、Ａ２、Ｂ、Ｄの値はユーザの入力によって決まるとしたが、これに限られるものではない。少なくとも一つ、例えばＡ１の長さがユーザの入力によって決まり、その他の長さがユーザの入力によって決まった値によって自動的に決まっても良い。あるいは、全て事前に設定された値であっても良い。
【００７４】
また、テープ片３１Ａの始端から位置アまでの長さがＡ１、位置アから位置イまでの長さがＢ、位置イから位置ウまでの長さがＣ、位置ウからテープ片３１Ａの終端までの長さがＡ２であるとしたが、これに限られるものではない。テープ片３１Ａの終端から位置ウまでの長さがＡ１であるとするというように、位置と長さとの関係は任意に設定することができる。
【００７５】
また、ハーフカットを行う切断数及び切断位置を決定するための切断条件は、図６の切断条件テーブルを用いたものに限られない。例として、図６の条件１は、Ｌの範囲が（Ｌ＜Ａ１＋Ａ２）の場合を示しているが、Ｌの範囲が（Ｌ＜Ｅ）のように、切断位置と無関係の別の長さＥを用いて定められていても良い。Ｅは、ユーザの入力等によって決まる。また、図６の条件２では、位置アにおいて１回のハーフカットを行うとしているが、位置ウにおいて１回のハーフカットを行うとしても良い。このように、断片長Ｌの範囲やハーフカットの位置の選び方は任意である。
【００７６】
また、ユーザがハーフカットを行う切断数及び切断位置を決定するための切断条件を変更できるようにしても良い。この場合、ユーザは入力部３と表示部４とを用いて、所望の切断条件を設定する。例えば、上述のような、条件２において位置アのハーフカットを行うという設定を位置ウのハーフカットを行うという設定に変更することを、ユーザの入力によって実行するようにしても良い。
【００７７】
また、ステップＳ４０において、最後に、フルカット機構１７によって、テープ片３１Ａの全長が断片長Ｌになるようにフルカットを行うとしたが、これに限られるものではない。基材３２を切断する切断手段としての別のハーフカット機構を備え、それによって、基材３２が断片長Ｌで切断されるようにハーフカットしても良い。
【００７８】
また、実施形態において主に印刷装置について説明したが、本実施形態に係る発明は印刷装置に限られるものではない。本実施形態に係る発明は、実施形態に係る印刷装置１が備えていた印刷データ取得部６１と印刷部６４とを備えず、テープ３１から切り取られる断片の長さである断片長Ｌを取得する断片長取得部６２と、断片長Ｌに基づいて、テープ片３１Ａが切り取られる領域に含まれる基材３２と剥離紙３３とのうちの、剥離紙３３を切断する切断数及び切断位置を決定する決定部６３と、剥離紙３３を決定部６３が決定した切断数の切断位置で切断する切断部６５と、を備える切断装置であってもよい。
【００７９】
本発明に係る切断装置によれば、テープ片３１Ａの全長に応じて、剥離紙３３を適切な切断数及び切断位置で切断することができる。テープ片３１Ａの全長に応じて剥離紙３３を切断する数及び位置を決定するので、全長が短い場合に剥離部材が著しく細くなり、かえってはがしにくくなったりすることがなく、扱いやすいテープ片を作成することができる。
【００８０】
なお、本発明に係る機能を実現するための構成を予め備えた印刷装置又は切断装置として提供できることはもとより、プログラムの適用により、既存の情報処理装置等を、本発明に係る印刷装置又は切断装置として機能させることもできる。すなわち、上記実施形態で例示した印刷装置１又は切断装置による各機能構成を実現させるためのプログラムを、既存の情報処理装置等を制御するＣＰＵ等が実行できるように適用することで、本発明に係る印刷装置又は切断装置として機能させることができる。また、本発明に係る切断方法は、印刷装置又は切断装置を用いて実施できる。
【００８１】
また、このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネットなどの通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【００８２】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【００８３】
（付記１）
基材と前記基材に貼り付けられた剥離部材とを含む貼付部材を切り取る切断手段と、
前記切断手段が前記貼付部材を印刷データに応じた断片長で切り取るように制御するとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断するように制御する制御手段と、
前記印刷データに基づいて前記基材に印刷する印刷手段と、
を備える、
ことを特徴とする印刷装置。
【００８４】
（付記２）
前記制御手段は、前記断片長が長いほど、前記剥離部材を切断する前記切断位置として、多くの切断数及び前記切断位置を決定する、
ことを特徴とする付記１に記載の印刷装置。
【００８５】
（付記３）
前記印刷手段が印刷する印刷位置及び前記切断手段が切断する前記切断位置に前記貼付部材を搬送する搬送手段をさらに備え、
前記切断手段は、前記基材と前記剥離部材との両方を、前記貼付部材の始端から前記断片長だけ離れた終端で切断する、
ことを特徴とする付記１又は２に記載の印刷装置。
【００８６】
（付記４）
前記決定手段は、
前記断片長が第１の境界長よりも小さい場合に前記剥離部材を切断しないことを決定し、
前記断片長が前記第１の境界長以上で且つ第２の境界長よりも小さい場合に、前記始端から第１の長さだけ離れた第１の位置で前記剥離部材を切断することを決定し、
前記断片長が前記第２の境界長以上で且つ第３の境界長よりも小さい場合に、前記第１の位置と、前記終端から第２の長さだけ離れた第２の位置と、で前記剥離部材を切断することを決定し、
前記断片長が前記第３の境界長以上の場合に、前記第１の位置と、前記第２の位置と、前記第１の位置から前記終端へ向かって第３の長さだけ離れた第３の位置と、で前記剥離部材を切断することを決定する、
ことを特徴とする付記３に記載の印刷装置。
【００８７】
（付記５）
前記第１の境界長は、前記第１の長さと前記第２の長さとの和であり、
前記第２の境界長は、前記第１の境界長と前記第３の長さとの和であり、
前記第３の境界長は、前記第２の境界長と第４の長さとの和である、
ことを特徴とする付記４に記載の印刷装置。
【００８８】
（付記６）
前記第１の長さ、前記第２の長さ、前記第３の長さ及び前記第４の長さはユーザの入力によって定められる、
ことを特徴とする付記５に記載の印刷装置。
【００８９】
（付記７）
基材と前記基材に貼り付けられた剥離部材とを含む貼付部材を印刷データに応じた断片長で切り取るとともに、前記断片長に基づいて決定された、切り取られる前記貼付部材における前記剥離部材を切断する切断数及び切断位置に基づいて前記剥離部材を切断する、
ことを特徴とする切断装置。
【００９０】
（付記８）
基材と前記基材に貼り付けられた剥離部材とを含む貼付部材を印刷データに応じた断片長で切り取るように切断手段を制御するとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断するように制御する、
ことを特徴とする切断方法。
【００９１】
（付記９）
コンピュータに、
基材と前記基材に貼り付けられた剥離部材とを含む貼付部材を印刷データに応じた断片長で切り取るように切断手段を制御させるとともに、前記断片長に基づいて、前記切断手段によって切り取られる前記貼付部材における、前記剥離部材を切断する切断数及び切断位置を決定し、前記切断手段が前記切断数及び前記切断位置に基づいて前記剥離部材を切断するように制御させる、
ことを特徴とするプログラム。
【符号の説明】
【００９２】
１…印刷装置、２…筐体、３…入力部、４…表示部、５…開閉蓋、６…テープ収納部、７…テープ繰出部、１１…サーマルヘッド、１２…プラテンローラ、１３…リボン巻取軸、１５…カセット受部、１６…テープ種類検出スイッチ、１７…フルカット機構、１８…ハーフカット機構、２１…テープカセット、２２…カセットケース、２３…テープコア、２４…リボン供給コア、２５…リボン巻取コア、２７…ヘッド配置部、２９…被係合部、３１…テープ、３１Ａ…テープ片、３２…基材、３３…剥離紙、３４…粘着剤、３５…インクリボン、貼付対象３６、４０…制御部、４１…ＲＯＭ、４２…ＲＡＭ、４５…テープ印刷機構、５０…電源装置、５１…サーマルヘッド制御装置、５２…モータ制御装置、５３…カッタ制御装置、印刷データ取得部…６１、断片長取得部…６２、決定部…６３、印刷部…６４、切断部…６５、搬送部…６６、Ａ１，Ａ２，Ｂ，Ｃ，Ｄ，Ｅ…長さ、Ｌ…断片長
【図１】
0006575092.tif 000002
【図２】
0006575092.tif 000003
【図３】
0006575092.tif 000004
【図４】
0006575092.tif 000005
【図５】
0006575092.tif 000006
【図６】
0006575092.tif 000007
【図７】
0006575092.tif 000008
【図８】
0006575092.tif 000009
【図９】
0006575092.tif 000010